(57)【要約】【課題】１つの口座に対して複数の印鑑を登録して、登録してある印鑑の内どれを金融機関の窓口に持ってきても印鑑照合を可能とする。【解決手段】複数の印影をセンタ装置８の記憶装置９に登録する際は、印鑑登録票２２の複数印影１〜Ｎを、まとめて１つの画像として登録できるようにする（ステップ１０４）。印鑑照合の際は、金融機関の窓口等で帳票の印影画像を読込み、登録済みの複数印影を１つずつ切出して最も外形の近い登録印影から各々画像照合を行い、ある一定以上の照合率になった登録印影を該当印とする（ステップ２０５）。【選択図】図１
2005011179.tif 000002
【特許請求の範囲】
【請求項１】
顧客情報を入力し、印鑑登録票から複数の印影を読取り、前記顧客情報毎に前記複数の印影と該印影の数を記憶手段に格納することを特徴とする複数印鑑の登録方法。
【請求項２】
顧客情報を入力し、印鑑登録票から署名及び複数の印影を読取り、前記顧客情報毎に前記署名及び複数の印影と該印影の数を記憶手段に格納することを特徴とする複数印鑑の登録方法。
【請求項３】
前記顧客情報は、店番と科目と口座番号であることを特徴とする請求項１または２記載の複数印鑑の登録方法。
【請求項４】
前記印影の読取りは、複数の印影を一つの画像として読取ることを特徴とする請求項１乃至３のいずれか１項に記載の複数印鑑の登録方法。
【請求項５】
前記複数の印影を前記記憶手段に格納する際、個々の印影に切出してから格納することを特徴とする請求項１乃至４のいずれか１項に記載の複数印鑑の登録方法。
【請求項６】
入力装置と、画像読取装置と、記憶装置と、制御装置とを有し、前記入力装置から顧客情報を入力し、前記画像読取装置により印鑑登録票から複数の印影を読取り、前記制御装置は前記顧客情報毎に前記複数の印影と該印影の数を前記記憶装置に格納することを特徴とする複数印鑑登録装置。
【請求項７】
前記顧客情報は、店番と科目と口座番号であることを特徴とする請求項６記載の複数印鑑登録装置。
【請求項８】
前記画像読取装置は、複数の印影を一つの画像として読取ることを特徴とする請求項６または７記載の複数印鑑登録装置。
【請求項９】
前記制御装置は、前記画像読取装置が読取った複数の印影をまとめて前記記憶装置に格納することを特徴とする請求項６乃至８のいずれか１項に記載の複数印鑑登録装置。
【請求項１０】
前記制御装置は、前記画像読取装置が読取った複数の印影を個々に切出して前記記憶装置に格納することを特徴とする請求項６乃至８のいずれか１項に記載の複数印鑑登録装置。
【請求項１１】
帳票から印影を読取り、顧客情報を元に記憶装置から複数の登録印影を読出し、該複数の登録印影と前記帳票から読取った印影を照合し、所定の照合率を有する登録印影を登録印鑑に決定することを特徴とする印鑑照合方法。
【請求項１２】
前記顧客情報は、店番と科目と口座番号であることを特徴とする請求項１１記載の印鑑照合方法。
【請求項１３】
前記記憶装置から読出した複数の登録印影を個々の印影に切出し、個々の登録印影に対して前記帳票から読取った印影との外形チェックを行い、外形の近い登録印影から照合を行うことを特徴とする請求項１１または１２記載の印鑑照合方法。
【請求項１４】
前記帳票から読取った印影と、登録印鑑に決定した印影とその照合率を画面表示することを特徴とする請求項１１乃至１３のいずれか１項に記載の印鑑照合方法。
【請求項１５】
前記複数の登録印影の照合率が所定の照合率以下の場合には、最も照合率の高い登録印影を登録印鑑に決定することを特徴とする請求項１１乃至１４のいずれか１項に記載の印鑑照合方法。
【請求項１６】
入力装置と、画像読取装置と、記憶装置と、制御装置とを有し、前記入力装置から顧客情報を入力し、前記画像読取装置により帳票から印影を読取り、前記制御装置は前記顧客情報を元に前記記憶装置から複数の登録印影を読出し、該複数の登録印影と前記帳票から読取った印影を照合し、所定の照合率を有する登録印影を登録印鑑に決定することを特徴とする印鑑照合装置。
【請求項１７】
前記顧客情報は、店番と科目と口座番号であることを特徴とする請求項１６記載の印鑑照合装置。
【請求項１８】
帳票から印影を読取り、顧客情報を元に記憶装置から複数の登録印影を読出し、該複数の登録印影と前記帳票から読取った印影を照合し、所定の照合率を有する登録印影を登録印鑑に決定し、前記帳票で指定された現金取引を開始することを特徴とする現金取扱システム。
【請求項１９】
前記顧客情報は、店番と科目と口座番号であることを特徴とする請求項１８記載の現金取扱システム。
【請求項２０】
前記現金取引は、出金または入金であることを特徴とする請求項１８または１９記載の現金取扱システム。
【発明の詳細な説明】
【０００１】
【発明の属する技術分野】
本発明は、印鑑を電子データ化して記憶装置に登録し、登録した印鑑を検索および照合することのできるシステムに関し、特に金融機関の窓口で取扱う帳票等の印影と記憶装置に登録済の印影との照合を行う方法及び装置に関する。
【０００２】
【従来の技術】
印鑑を電子データ化して登録する際は、通常は本人の口座に対して１つの印影画像を電子データ化して登録する。電子データ化して登録した印鑑を照合する際は、金融機関等で読込んだ印鑑の１つの画像に対して、登録済み印影の１つの画像を検索して画面表示し、照合を行う。また、読込んだ印影画像が複数あっても、登録済みの印影に最も近いものを探して印鑑照合を行う。
【０００３】
同じ口座でも登録する区分を分けることにより、本人以外の例えば代理人として別の印影も登録することは可能である。特許文献１には、１枚の帳票に対し、帳票上のキー情報で特定される本人印鑑、代理人印鑑、旧印鑑を含むすべての印影マスタを取得し、帳票上の印影と前記取得したすべての印影の照合処理を行い、それぞれの照合結果を判定する技術が開示されている。
【０００４】
【特許文献１】
特開２００１−２６６１５６号（第２ー３頁、図３）
【０００５】
【発明が解決しようとする課題】
従来技術の印鑑登録方法及び印鑑照合方法では、１つの口座に対して複数の印鑑を登録することを考慮していないため、仮に個人及び企業で複数の印鑑を持っていたとしても何れかひとつの印鑑しか登録及び照合には使用できなかった。
【０００６】
本発明の目的は、１つの口座で個人及び企業の印鑑を複数登録する方法及び装置を提供することである。
【０００７】
本発明の他の目的は、複数登録してある印鑑のどの印鑑を使用しても印鑑照合可能な方法及び装置を提供することにある。
【０００８】
本発明のさらに他の目的は、上記複数印鑑登録方法及び印鑑照合方法を用いた現金取扱システムを提供することにある。
【０００９】
【課題を解決するための手段】
上記目的を達成するために、本発明の複数印鑑の登録方法においては、顧客情報を入力し、印鑑登録票から複数の印影を読取り、前記顧客情報毎に前記複数の印影と該印影の数を記憶手段に格納することを特徴とする。
【００１０】
上記目的を達成するために、本発明の複数印鑑の登録方法においては、顧客情報を入力し、印鑑登録票から署名及び複数の印影を読取り、前記顧客情報毎に前記署名及び複数の印影と該印影の数を記憶手段に格納することを特徴とする。
【００１１】
上記目的を達成するために、本発明の複数印鑑登録装置においては、入力装置と、画像読取装置と、記憶装置と、制御装置とを有し、前記入力装置から顧客情報を入力し、前記画像読取装置により印鑑登録票から複数の印影を読取り、前記制御装置は前記顧客情報毎に前記複数の印影と該印影の数を前記記憶装置に格納することを特徴とする。
【００１２】
上記他の目的を達成するために、本発明の印鑑照合方法においては、帳票から印影を読取り、顧客情報を元に記憶装置から複数の登録印影を読出し、該複数の登録印影と前記帳票から読取った印影を照合し、所定の照合率を有する登録印影を登録印鑑に決定することを特徴とする。
【００１３】
上記他の目的を達成するために、本発明の印鑑照合装置においては、入力装置と、画像読取装置と、記憶装置と、制御装置とを有し、前記入力装置から顧客情報を入力し、前記画像読取装置により帳票から印影を読取り、前記制御装置は前記顧客情報を元に前記記憶装置から複数の登録印影を読出し、該複数の登録印影と前記帳票から読取った印影を照合し、所定の照合率を有する登録印影を登録印鑑に決定することを特徴とする。
【００１４】
上記さらに他の目的を達成するために、本発明の現金取扱システムにおいては、帳票から印影を読取り、顧客情報を元に記憶装置から複数の登録印影を読出し、該複数の登録印影と前記帳票から読取った印影を照合し、所定の照合率を有する登録印影を登録印鑑に決定し、前記帳票で指定された現金取引を開始することを特徴とする。
【００１５】
【発明の実施の形態】
以下、図面を参照して本発明の一実施例を詳細に説明する。図３は複数捺印可能な印鑑登録票の様式を示す図である。図１は図３の印鑑登録票に複数捺印されている場合の複数印影を登録するための処理手順を示すフローチャート（ａ）及び、登録した印鑑印影と払戻し請求書等の帳票に捺印された印鑑印影とを照合するための処理手順を示すフローチャート（ｂ）である。図２は本発明の一実施例によるシステムの構成図であり、センタ端末機、センタ装置ならびに営業店端末機で構成される。
【００１６】
図２において、センタ端末機１は、印鑑登録票２２（図３参照）の画像をスキャナ等で取得する画像読取装置２と、取得した画像をＣＲＴまたは液晶表示機器等で表示する表示装置６と、オペレータの入力装置としてのキーボード３及びマウス４と、センタ装置８に対して通信を行う通信装置７と、これらを制御する制御装置５で構成される。制御装置５は内部に、画像読取装置２で読取った画像等を格納する記憶手段を有している。
【００１７】
営業店端末機１２は、帳票画像を取得するための画像読取装置１３と、入力装置としてのキーボード１４及びマウス１５と、オペレータのＩＤ確認用として磁気やＩＣのカード読取装置１６と、帳票印影と登録印影の照合画面を表示させる表示装置１９と、伝票や通帳、証書を印字する印字装置２０と、現金の入金、出金処理行う現金入出金装置２１と、センタ装置８に対して通信を行う通信装置１８と、これらを制御する制御装置１７で構成される。制御装置１７は内部に、画像読取装置１３で読取った画像等を格納する記憶手段を有している。
【００１８】
センタ装置８は、センタ端末機１及び営業店端末機１２と通信する通信装置１０と、顧客情報（口座番号等）や印影画像、署名画像を記憶する記憶装置９と、これらを制御する制御装置１１で構成される。制御装置１１は内部に、センタ端末機１や営業店端末機１２から送信されてくる顧客情報や画像情報等を格納する記憶手段を有している。
【００１９】
上記制御装置５、１７、１１は、パーソナルコンピュータ、サーバ、ホストコンピュータ等の計算機で構成される。
【００２０】
次に図１（ａ）の印鑑登録のフローチャートを参照して、１つの口座で印鑑が複数登録可能な場合の印鑑登録手順について説明する。まず、センタのオペレータがセンタ端末機１を使用して印鑑登録画面を表示装置６に表示させ、キーボード３を使用して印鑑登録票２２に記載してある顧客情報を入力する（ステップ１０１）。顧客情報としては、店番、科目、口座番号、印鑑区分等である。
【００２１】
その後、画面上の画像読取ボタンをマウス４でクリックして画像読取装置２で印鑑登録票２２の全体画像を読取り画面に表示させる（ステップ１０２）。画面に表示された印鑑登録票２２の全体画像から署名欄の部分に対して切出し処理を行い、切出した署名部分に対して濃度調整を行う（ステップ１０３）。次に印影欄の切出し処理を行うが、印影が単独の場合は、ステップ１０３と同じように印影部分の切出し処理と濃度調整を実施する。
【００２２】
印影が複数存在する場合は、印影１〜Ｎを１つの画像として複数印影全体に対して切出しを行い、切出した複数印影に対して濃度調整を行う（ステップ１０４）。切出した印影に対して複数印影か単独印影かを区別するため、印影フラグ（ＦＬＡＧ）に印影の数（Ｎ）を格納する（ステップ１０５）。印影数が１の場合はＦＬＡＧ＝１、印影数が２の場合はＦＬＡＧ＝２となり、本ＦＬＡＧで印影数が参照できる。以上の処理で、顧客情報と切出した画像（署名と印影）と印影フラグが制御装置５内部の記憶手段に取込まれる。オペレータはセンタ装置８に対して印鑑登録を行う前に、印鑑登録票２２と、入力された顧客情報、切出した画像（署名と印影）、印影数を表示装置６に表示して見比べて最終確認を行う（ステップ１０６）。
【００２３】
最後に、オペレータが登録完了ボタンを押下すると、センタ端末機１の通信装置７からセンタ装置８の通信装置１０を経由して制御装置１１に印鑑登録指示が発行され、センタ端末機１の制御装置５に取込まれた顧客情報と、切出した画像（署名と印影）と、印影フラグが通信装置７を経由して制御装置１１に送信され、制御装置１１が記憶装置９に対して格納処理を行う（ステップ１０７）。登録済みの印鑑は、センタ端末機１及び営業店端末機１２から顧客情報（店番、科目、口座番号）を指定して、センタ装置８に問合せすれば該当する印鑑情報（署名、印影、印影数）を検索することが可能である。
【００２４】
次に図１（ｂ）の印鑑照合のフローチャートを参照して、帳票印と複数登録印との印鑑照合手順について説明する。まず、営業店のオペレータは、自身のＩＤカードをカード読取装置１６で読込ませ、営業店端末機１２を起動する。次にオペレータは営業店の窓口で顧客から払戻請求書等の捺印のある帳票（捺印は一箇所のみ）を受取り、画像読取装置１３で帳票画像を読取る。読取った画像の印影部分は切出し処理を行い（ステップ２０１）、制御装置１７内部の記憶手段に格納する。印鑑照合が必要な場合は、顧客情報（店番、科目、口座番号）を通信装置１８からセンタ装置８に送信する（ステップ２０２）。
【００２５】
顧客情報（店番、科目、口座番号）は、画像読取りの際に自動的に認識して制御装置１７内部の記憶手段に取込み、表示装置１９に表示することができる。また、キーボード１４、マウス１５から手動で入力することもできる。センタ装置８の制御装置１１は顧客情報（店番、科目、口座番号）と該当する登録印影と印影フラグ（ＦＬＡＧ）を記憶装置９を検索して読出し、通信装置１０から営業店へ送信する（ステップ２０３）。該当する顧客情報及び登録印影が存在しない場合はセンタ装置８から営業店端末機１２に「該当印無し」のエラーを送信し、営業店で取引処理を中断する。
【００２６】
センタ装置８から送信された印影フラグが１（ＦＬＡＧ＝１）の場合は（ステップ２０４）、ステップ２０６へ進み、通常の印鑑照合処理を実施する。印影フラグが複数（ＦＬＡＧ＞１）の場合は、ステップ２０５へ進み、制御装置１７は該当する登録印影の検索を行う。最初に印影フラグを用いて、印影フラグ数分の登録印影を切出す（ステップ２０５▲１▼）。印影フラグが３の場合は３種類の登録印影が切出される。切出された各々の登録印影に対して、ステップ２０１で読取った帳票印影との外形チェックを行う（ステップ２０５▲２▼）。本処理は、ランダムに印鑑照合した場合は照合する順番により時間がかかる場合があるので、照合処理のスピードを上げるために実施する。
【００２７】
ステップ２０１で読取った帳票印影と最も外形の近い登録印影から順番に照合を行い、例えば照合した登録印影が照合率８０％以上であれば、当該登録印影を登録印鑑に決定する（ステップ２０５▲３▼）。また、例えば全ての登録印影の照合率が８０％未満であった場合は、最も照合率の高い登録印影を登録印鑑に決定する。前記の該当印であるか否かの判断基準である照合率は、各端末で変更することができるユーザー定義ファイルとする。
【００２８】
最後に、ステップ２０１で読取った帳票印影と、ステップ２０５で決定した登録印鑑の印影及びその照合率を画面に表示させ、オペレータにて印鑑の正否を判断する。その後、例えば帳票が払戻請求書の場合は、印鑑照合が完了すると、印字装置２０で通帳と伝票を印字して、現金入出金装置２１から現金を出金する動作を行う。
【００２９】
上述の実施例においては、複数の登録印影の切出し処理を営業店端末機１２で実施しているが、予めセンタ端末機１で印鑑登録する際に複数印影に対して複数個の切出し処理を行ってから記憶装置９に格納しておけば、営業店での切出し処理を省略することができるため、印鑑照合の処理スピードを向上することができる。
【００３０】
【発明の効果】
以上述べたように本発明によれば、１つの口座で複数の印鑑を使用したいニーズがある場合、複数の印を印鑑登録できる手段と、複数の登録印鑑から該当印を検索して印鑑照合できる手段とを有するシステムを構築することができる。本システムが構築された金融機関を利用する顧客は、目的別に印鑑を使い分けることができるという利点がある。
【図面の簡単な説明】
【図１】本発明の一実施例による複数印鑑を登録及び照合する方法を説明するためのフローチャートである。
【図２】本発明の一実施例による複数印鑑の登録と印鑑照合を実現するシステム構成図である。
【図３】複数印を捺印することができる印鑑登録票の様式を示す図である。
【符号の説明】
１…センタ端末機、２，１３…画像読取装置、３，１４…キーボード、
４，１５…マウス、５，１１，１７…制御装置、６，１９…表示装置、
７，１０，１８…通信装置、８…センタ装置、９…記憶装置、
１６…カード読取装置、２０…印字装置、２１…現金入出金装置。
【図１】
2005011179.tif 000003
【図２】
2005011179.tif 000004
【図３】
2005011179.tif 000005